(57)【要約】   【課題】扉を扉枠に取付ける際に、一人作業で安全に実施できる隠し蝶番の構造と隠し蝶番の取付方法を提供することを目的とする。  【解決手段】隠し蝶番１は、扉枠２と扉３を開閉自在に連結する二組の連結アーム４ａ、４ｂが垂直回転軸５に連結されて一対の扉枠２用の調整ブロック６ａと扉３用の調整ブロック６ｂに取付けられる。連結アーム４ａ、４ｂはそれぞれ一端Ｓにピン支持部としての回転軸７を備え、他端Ｔにスライド支持部としてのスライド軸８を備える。一対の調整ブロック６ａ、６ｂは一対の蝶番ケーシング１ａ、１ｂにそれぞれ組込まれる。扉枠２の蝶番ケーシング１ａの下端部に調整ブロック６ａの脱落防止用の板バネからなる爪部９が設けられる。扉枠２の調整ブロック６ａの下端部に爪部９と係止する凸状の係止部１０を備える。  【選択図】  図１
2008025270.tif 000002
【特許請求の範囲】
【請求項１】
扉枠と扉を開閉自在に連結する二組の連結アームが垂直回転軸に連結されて一対の調整ブロックに収納され、前記連結アームは一端がピン支持部で他端がスライド支持部で、前記各調整ブロックに前記二組の連結アームのそれぞれのピン支持部とスライド支持部を一対として取付けられ、前記一対の調整ブロックを鍔部を有する一対の蝶番ケーシングに組込んで扉枠と扉に設ける収容部に取付けられて成る隠し蝶番の構造であって、
前記扉枠の蝶番ケーシングの垂直方向の少なくとも下端部の前記鍔部に前記調整ブロックの脱落防止用の爪部を設け、前記扉枠の調整ブロックの前記爪部に対応する端部に前記爪部と係止する係止部を備えることを特徴とする隠し蝶番の構造。
【請求項２】
請求項１記載の隠し蝶番の構造であって、前記爪部は板バネで、前記係止部は前記調整ブロックの端部に形成される突起であることを特徴とする隠し蝶番の構造。
【請求項３】
請求項１又は請求項２に記載の隠し蝶番の構造であって、前記爪部は帯状材を鈍角に折り曲げて基部と反し部が形成され、前記基部は前記帯状材の長手方向に形成される長孔を介してビス等の固着具で垂直に固着され、前記固着具を緩めた状態で前記反し部が自重による回転で水平状態となるように前記基部と反し部の長さ比率が設定されることを特徴とする隠し蝶番の構造。
【請求項４】
扉枠と扉を開閉自在に連結する二組の連結アームが垂直回転軸に連結されて一対の調整ブロックに収納され、前記連結アームは一端がピン支持部で他端がスライド支持部で、前記各調整ブロックに前記二組の連結アームのそれぞれのピン支持部とスライド支持部を一対として取付け、前記一対の調整ブロックを一対の蝶番ケーシングに組込んで扉枠と扉に設ける収容部に取付けられて成る隠し蝶番の取付方法であって、
前記扉枠の蝶番ケーシングをその垂直方向の下端部に前記調整ブロックの脱落防止用の爪部をビス等の固着具で固定した状態で前記扉枠に取付けた後に、
前記扉の調整ブロックの前記爪部に対応する端部に係止部を備えた前記調整ブロックを前記蝶番ケーシング内に組付けて、前記扉を前記扉枠の前記爪部に前記扉の係止部を係止させて仮付けしたのち、前記扉枠の調整ブロックをネジ等の固定具で蝶番ケーシングに本固定し、
前記扉枠の調整ブロックを蝶番ケーシングから外す場合には、
前記爪部は帯状材を鈍角に折り曲げて基部と反し部が形成され、前記基部は前記帯状材の長手方向に形成される長孔を介して垂直にビス等の固着具で固着され、前記固着具を緩めた状態で前記反し部が自重による回転で水平状態となるように前記基部と反し部の長さ比率が設定されるので、
前記扉枠の調整ブロックと蝶番ケーシングを前記固定具を外して仮固定の状態にした後、前記爪部の前記固着具を緩めて前記反し部を水平状態にすることにより、前記扉枠の調整ブロックは前記係止部が前記爪部から離脱して蝶番ケーシングから外されることを特徴とする隠し蝶番の取付方法。
【発明の詳細な説明】
【技術分野】
【０００１】
本発明は、扉枠と扉を開閉自在に連結する隠し蝶番の構造と隠し蝶番の取付方法に関するもので、詳しくは、扉の扉枠への取付及び取外し作業が容易にできる隠し蝶番の構造の技術に関する。
【背景技術】
【０００２】
従来、隠し蝶番として特許文献１の記載が知られている。特許文献１によれば図１１に示すように、隠し蝶番４０は、扉枠４１と扉４２を開閉自在に連結する二組の連結アーム４３が一対の調整ブロック４７、４７に取付けられる。調整ブロック４７、４７は扉枠４１と扉４２にそれぞれ形成された収容部４１ａ、４２ａに一対のケーシング４４、４５を介して固定ネジ５０によって固定される。
【０００３】
前記各連結アーム４３は、左右で対をなす平面視概略「Ｃ」もしくは「く」の字状の同一構成のリンク部材で、上下方向に位置をずらして垂直回転軸４６で回転可能にヒンジ結合される。
【０００４】
前記連結アーム４３の一端は図示しないピン支持部で回転可能とするとともに、他端４８は図示しないスライド軸がその上下端部を調整ブロック４７に設けられる凹溝レール４９内でスライド移動することにより扉４２を開閉することができる。
【特許文献１】特開平０６−２８８１３９号公報
【発明の開示】
【発明が解決しようとする課題】
【０００５】
ところが、上記の従来例では、扉４２を扉枠４１に取付ける際に、扉４２が重く且つ大きいので作業が不安定となるため、一人作業は不安全で無理であるという問題があった。
【０００６】
このため、扉４２を支えた状態で固定ネジ５０をネジ込んだり外したりする複数の作業者が必要となるため作業効率が悪いという問題があった。
【０００７】
そこで、本発明はかかる従来技術の問題に鑑みなされたものであって、扉を扉枠に取付ける際に、一人作業で安全に実施できる隠し蝶番の構造と隠し蝶番の取付方法を提供することを目的とする。
【課題を解決するための手段】
【０００８】
請求項１の発明は、扉枠と扉を開閉自在に連結する二組の連結アームが垂直回転軸に連結されて一対の調整ブロックに収納され、前記連結アームは一端がピン支持部で他端がスライド支持部で、前記各調整ブロックに前記二組の連結アームのそれぞれのピン支持部とスライド支持部を一対として取付けられ、前記一対の調整ブロックを鍔部を有する一対の蝶番ケーシングに組込んで扉枠と扉に設ける収容部に取付けられて成る隠し蝶番の構造であって、前記扉枠の蝶番ケーシングの垂直方向の少なくとも下端部の前記鍔部に前記調整ブロックの脱落防止用の爪部を設け、前記扉枠の調整ブロックの前記爪部に対応する端部に前記爪部と係止する係止部を備えることを特徴としている。
【０００９】
請求項２の発明は、請求項１記載の隠し蝶番の構造であって、前記爪部は板バネで、前記係止部は前記調整ブロックの端部に形成される突起であることを特徴としている。
【００１０】
請求項３の発明は、請求項１又は請求項２に記載の隠し蝶番の構造であって、前記爪部は帯状材を鈍角に折り曲げて基部と反し部が形成され、前記基部は前記帯状材の長手方向に形成される長孔を介してビス等の固着具で垂直に固着され、前記固着具を緩めた状態で前記反し部が自重による回転で水平状態となるように前記基部と反し部の長さ比率が設定されることを特徴としている。
【００１１】
請求項４の発明は、扉枠と扉を開閉自在に連結する二組の連結アームが垂直回転軸に連結されて一対の調整ブロックに収納され、前記連結アームは一端がピン支持で他端がスライド支持で、前記各調整ブロックに前記二組の連結アームのそれぞれのピン支持部とスライド支持部を一対として取付け、前記一対の調整ブロックを一対の蝶番ケーシングに組込んで扉枠と扉に設ける収容部に取付けられて成る隠し蝶番の取付方法であって、前記扉枠の蝶番ケーシングをその垂直方向の下端部に前記調整ブロックの脱落防止用の爪部をビス等の固着具で固定した状態で前記扉枠に取付けた後に、前記扉の調整ブロックの前記爪部に対応する端部に係止部を備えた前記調整ブロックを前記蝶番ケーシング内に組付けて、前記扉を前記扉枠の前記爪部に前記扉の係止部を係止させて仮付けしたのち、前記扉枠の調整ブロックをネジ等の固定具で蝶番ケーシングに本固定し、前記扉枠の調整ブロックを蝶番ケーシングから外す場合には、前記爪部は帯状材を鈍角に折り曲げて基部と反し部が形成され、前記基部は前記帯状材の長手方向に形成される長孔を介して垂直にビス等の固着具で固着され、前記固着具を緩めた状態で前記反し部が自重による回転で水平状態となるように前記基部と反し部の長さ比率が設定されるので、前記扉枠の調整ブロックと蝶番ケーシングを前記固定具を外して仮固定の状態にした後、前記爪部の前記固着具を緩めて前記反し部を水平状態にすることにより、前記扉枠の調整ブロックは前記係止部が前記爪部から離脱して蝶番ケーシングから外されることを特徴としている。
【発明の効果】
【００１２】
請求項１記載の発明によれば、前記一対の調整ブロックを鍔部を有する一対の蝶番ケーシングに組込んで扉枠と扉に設ける収容部に取付けられて成る隠し蝶番の構造であって、前記扉枠の蝶番ケーシングの垂直方向の少なくとも下端部の前記鍔部に前記調整ブロックの脱落防止用の爪部を設け、前記扉枠の調整ブロックの前記爪部に対応する端部に前記爪部と係止する係止部を備える。
【００１３】
ここで、前記扉の取付け作業を実施する場合は、予め、前記扉の収容部に、連結アームで連結された状態の一対の調整ブロックの一方を蝶番ケーシングに組込んだ状態で、収容部に蝶番ケーシングだけが取付けられた状態の扉枠に宛がうと、挿入された扉枠の調整ブロックの前記係止部が前記爪部に自動的に係止されて前記扉枠の調整ブロックは仮固定できる。
【００１４】
このため、扉を扉枠に取付ける際に一人作業で安全に実施できて作業効率が向上する。なお、最終的に、扉枠の前記調整ブロックを蝶番ケーシングに本固定する作業は、すでに扉が扉枠に仮固定されている状態での作業なので一人作業で安全に容易に実施できる。
【００１５】
請求項２記載の発明によれば、前記爪部は板バネなので、その弾性により確実に前記係止部を係止することができる。また、前記係止部は前記調整ブロックの端部に設けられる突起であるので構造が単純である。このため、コストアップすることがない。
【００１６】
請求項３記載の発明によれば、前記爪部は帯状材を鈍角に折り曲げて基部と反し部が形成され、前記固着具を緩めた状態で前記反し部が自重による回転で水平状態となるように前記基部と反し部の長さ比率が設定されるので、前記固着具を緩めた状態で前記爪部が前記係止部に係止しない状態にできる。
【００１７】
このため、扉枠の前記調整ブロックと蝶番ケーシングを本固定している固定具を外した状態で、前記爪部の前記固着具を緩めるだけで扉枠の前記調整ブロックを蝶番ケーシングから一人作業で容易に外すことができる。
【発明を実施するための最良の形態】
【００１８】
＜本発明の実施形態＞
以下に、本発明の実施形態を図１〜図１０に基づいて説明する。
【００１９】
＜隠し蝶番の構造の構成＞  
図１（ａ）、（ｂ）に示すように、本発明の実施形態における隠し蝶番１の構造は、扉枠２と扉３を開閉自在に連結する断面「Ｃ」字状の二組の連結アーム４ａ、４ｂが垂直回転軸５に連結されて一対の扉枠２用の調整ブロック６ａと扉３用の調整ブロック６ｂに収納される。連結アーム４ａ、４ｂはそれぞれ一端Ｓにピン支持部としての回転軸７を備え、他端Ｔにスライド支持部としてのスライド軸８を備える。
【００２０】
いま、扉３が全開した状態で、調整ブロック６ａ、６ｂに向かって左右方向をＸ軸、上下（垂直）方向をＹ軸とし、Ｘ軸とＹ軸に垂直な軸をＺ軸（正面方向）とする。
【００２１】
各調整ブロック６ａ、６ｂには、二組の連結アーム４ａ、４ｂのそれぞれの回転軸７とスライド軸８が一対で取付けられる。そして、一対の調整ブロック６ａ、６ｂは、鍔部Ｑを下端部と下端部に有する一対の蝶番ケーシング１ａ、１ｂにそれぞれ組込まれて、扉枠２と扉３に設ける収容部２ａ、３ａに取付けられる。
【００２２】
ここで、蝶番ケーシング１ｂの調整ブロック６ｂはその底部から部分的に突出する構造である。しかしながら、蝶番ケーシング１ａ、１ｂが共用できるように蝶番ケーシング１ａと蝶番ケーシング１ｂはその底部３１が部分的に開放されている同形状の構造体である。このため、外部から収容部２ａ、３ａの内部面が直接見えないように、隠し蝶番１の裏側に構造上発生する隙間等は樹脂等で塞ぐことが好ましい。
【００２３】
扉枠２の蝶番ケーシング１ａの垂直方向の下端部の鍔部Ｑに調整ブロック６ａの脱落防止用の板バネからなる爪部９が設けられる。そして、爪部９に対応する扉枠２の調整ブロック６ａの下端部に爪部９と係止する突起の係止部１０を備える。
【００２４】
二組の連結アーム４ａ、４ｂのそれぞれの動作は、図１（ａ）から図２（ａ）、（ｂ）に示すように、扉３が開放された状態から半開きの状態を経て閉じた状態まで動作する間に、垂直回転軸５を中心にして一端Ｓが回転軸７にピン支持されて回転するとともに他端Ｔはスライド軸８が上下のスライドレール１３、１４にスライド支持されて移動する。
【００２５】
さらに、隠し蝶番１のより詳しい説明を組付け手順に沿って説明する。図３（ａ）、（ｂ）に示すように、扉枠２用の調整ブロック６ａと扉３用の調整ブロック６ｂにＹ軸方向に貫通する開口部１２ａ、１２ｂが形成され、この開口部１２ａ、１２ｂの上部と下部に調整ブロック６ａ、６ｂとは別体で形成されたスライドレール１３、１４がそれぞれ装着される。
【００２６】
スライドレール１３、１４は直方体形状で調整ブロック６ａ、６ｂに対して垂直でＺ軸方向に取付けられる。スライドレール１３、１４には断面矩形の凹溝レール部１３ａ、１４ａが形成され、この凹溝レール部１３ａ、１４ａは直線状でスライドレール１３、１４のＺ軸に対してＸ軸方向に角度αで互いに対向するように傾斜する。この傾斜により扉枠２と扉３の収容部２ａ、３ａの奥行きが狭く例えば２４ｍｍに限られる場合でも対応することができる。
【００２７】
スライドレール１３、１４における凹溝レール部１３ａ、１４ａと反対側の面１３ｂ、１４ｂに係止部１５が形成される。係止部１５は断面コ字状で面１３ｂ、１４ｂから突出する両側面１５ａには突起１５ｂを備える。
【００２８】
調整ブロック６ａ、６ｂの上部と下部には矩形状の孔部１６が形成される。孔部１６の大きさは突起１５ｂの両側面１５ａが自然状態で挿入できる大きさである。
【００２９】
このため、突起１５ｂを両側面１５ａの隙間を狭めて孔部１６に挿入したのち、両側面１５ａが弾力で元の位置にもどることにより突起１５ｂが孔部１６の縁部に係止する。これにより、スライドレール１３、１４は調整ブロック６ａ、６ｂに固定される。
【００３０】
調整ブロック６ａの上下には調整ブロック６ａを蝶番ケーシング１ａへ左右調整可能に取付けるための一対の長孔２０が、調整ブロック６ｂの上下には調整ブロック６ｂを蝶番ケーシング１ｂに対して正面方向に調整可能に取付けるためのネジ孔２１が設けられる。調整ブロック６ａの上下端部に凸状の係止部１０が形成される。
【００３１】
蝶番ケーシング１ａ、１ｂと調整ブロック６ａ、６ｂと連結アーム４ａ、４ｂはアルミダイカスト材。垂直回転軸５、スライド軸８はステンレス材、スライドレール１３、１４は樹脂成形材である。
【００３２】
図４に示すように、一組の連結アーム４ａは、一端Ｓに回転軸７を挿入するための軸孔７ａと、他端Ｔにスライド軸８を挿入するための軸孔８ａと、略中央部に垂直回転軸５を挿入するための軸孔５ａを備える。
【００３３】
そして、連結アーム４ａが調整ブロック６ａに矢印で示すように収納されて、他端Ｔの軸孔８ａにスライド軸８が挿入される。このとき、連結アーム４ａの上端には連結アーム４ａの横断面形状と同じ形状のアーム補強板１８を添えて挿入される。
【００３４】
アーム補強板１８は一対の孔１８ａを備え、連結アーム４ａの上端には一対の凸部１８ｂ備える。この孔１８ａと凸部１８ｂの係合によってアーム補強板１８は連結アーム４ａとの位置ずれを防止することができる。また、軸孔５ａに垂直回転軸５の固定用の止めネジ１９がネジ込まれる。
【００３５】
アーム補強板１８の目的は、連結アーム４ａがアルミダイカスト材のために脆く、且つ、軸孔５ａ、軸孔７ａ、軸孔８ａの縦方向の長さが長いため、扉の荷重により開閉動作中に各軸との接触による軋み音が発生するとともに、連結アーム４ａが欠けたり最悪折れたりする恐れがある。
【００３６】
このため、アーム補強板１８がステンレス材で形成され、アーム補強板１８に形成される各軸孔は軸孔５ａ、軸孔７ａ、軸孔８ａの孔径よりも若干小さくしておくことにより、扉荷重を直接的に受持つことができるので安全性を高めることができる。
【００３７】
次に、図５を用いて、他の一組の連結アーム４ｂを調整ブロック６ｂに収納する説明をするが、図４に示す構成と同構成部分については、図面に同符号を付して重複した説明を省略する。なお、連結アーム４ａと連結アーム４ｂは同形状である。
【００３８】
図５に示すように、連結アーム４ｂは連結アーム４ａとは逆に上下反転して調整ブロック６ｂに矢印で示すように収納される。また、連結アーム４ｂの下端にアーム補強板１８が添えられる。
【００３９】
図６に示すように。連結アーム４ａ、４ｂのそれぞれの略中央部の軸孔５ａに垂直回転軸５が挿入され止めネジ１９に固定されてそれぞれの連結アーム４ａ、４ｂが回転自在に連結される。
【００４０】
さらに、調整ブロック６ｂが扉３側の蝶番ケーシング１ｂ内に固定され、蝶番ケーシング１ｂは孔２６を介してネジ等の固定具３０で扉３の収容部３ａ内に固定される。
【００４１】
ここで、調整ブロック６ｂの上下のネジ孔２１に左右調整ネジ２５が螺合され、左右調整ネジ２５の先端部は蝶番ケーシング１ｂと図示しないカシメ止めによって回転可能に固定される。このため、上下の左右調整ネジ２５のネジ込代を調整することで扉３の左右方向の位置調整ができる。
【００４２】
図７に示すように、扉枠２には、予め、蝶番ケーシング１ａが孔２６を介してネジ等の固定具３０で扉枠２の収容部２ａ内に単独で組付けられる。この蝶番ケーシング１ａの下端部の鍔部Ｑには、上記、調整ブロック６ａの係止部１０を脱落防止するための爪部９が長孔２８を介してネジ２７により爪取付部１１に取付けられる。
【００４３】
爪取付部１１は爪部９が横（Ｘ軸）方向にずれることがないように、爪部９を規制する掘り込み１１ａがＹ軸、Ｚ軸方向に形成される。
【００４４】
図８に示すように、扉枠２側に予め蝶番ケーシング１ａが単独に組付けられ、扉３側には隠し蝶番１から蝶番ケーシング１ａを除いた部品が組付けられる。そして、蝶番１を１８０度開いた状態で扉３を矢印で示すように扉枠２に挿入する。
【００４５】
図９（ａ）、（ｂ）に示すように、上記、蝶番ケーシング１ａの下端部の鍔部Ｑに調整ブロック６ａの係止部１０を脱落防止するための爪部９がその先端９ｅを蝶番ケーシング１ａの内部側に飛出すように設けられる。このため、挿入された調整ブロック６ａの係止部１０が蝶番ケーシング１ａの爪部９の先端９ｅを乗り越えることにより仮固定される。仮付けしたのち、扉枠２の調整ブロック６ａを蝶番ケーシング１ａに長孔２０を介して固定具２０ａで本固定することができる。
【００４６】
図１０（ａ）、（ｂ）に示すように、爪部９は帯状材を鈍角１２０度に折り曲げて長さＮの基部９ａと水平面からの傾斜角度θで長さＬの反し部９ｂで形成され、基部９ａと反し部９ｂの折り曲げ線９ｃから基部９ａの端部９ｄにかけてネジ２７用の長孔２８が長さＮ１で形成される。
【００４７】
ここで、爪部９の反し部９ｂが間違いなく自然回転して水平状態になるための条件を図１０（ｃ）を用いて求める。いま、爪部９の単位当たりの重さｗとすると折り曲げ線９ｃ周りのモーメントは、反し部のモーメントＭ１＞基部のモーメントＭ２が必要条件なので、Ｍ１／Ｍ２＞１であればよい。
【００４８】
Ｍ１＝（Ｌ×/２）×（Ｌ×ｗ）で、Ｍ２＝（Ｎ×sinθ／２）×(Ｎ×ｗ)である。ここで、θ＝３０度なので、
Ｍ１／Ｍ２＝（Ｌ×/２）×（Ｌ×ｗ）／｛（Ｎ×sinθ／２）×(Ｎ×ｗ)｝
＝Ｌ２／（１／２）Ｎ２となる。
【００４９】
従ってＬ＞（Ｎ／√２）であればよく、例えば、Ｌ＝Ｎ＝７ｍｍとすれば、反し部９ｂは十分に自然回転して水平状態となる。なお、回転時にネジ２７が長孔２８に邪魔されないように長孔２８の長さＮ１はネジ２７の径よりも大きく設定される。
【００５０】
＜隠し蝶番の構造の構成の作用＞
扉３の取付け作業は、扉３の収容部３ａに一方の調整ブロック６ｂを蝶番ケーシング１ｂに組込んで取付けた状態で、蝶番ケーシング１ａだけが取付けられた状態の扉枠２に挿入すると、挿入された扉枠２の調整ブロック６ａの係止部１０が爪部９に自動的に係止されて調整ブロック６ａが容易に仮固定できる。
【００５１】
このとき、板バネの爪部９の基部９ａが垂直の状態でネジ２７により固着されているので、調整ブロック６ａの係止部１０が反し部９ｂを押し下げながら挿入したのち弾力的に位置復帰した反し部９ｂによって調整ブロック６ａは安定して仮固定できる。
【００５２】
この作業であれば、扉を扉枠に取付ける際に一人作業で安全に実施できるので作業効率が向上する。なお、最終的に、扉枠の調整ブロック６ａを蝶番ケーシング１ａに本固定するが、この作業はすでに扉が扉枠に仮固定されている状態における作業なので一人作業で容易に安全に実施できる。
【００５３】
また、扉３に固着した状態の調整ブロック６ａを扉枠２から取外す場合は、ネジ２７を緩めるだけで基部９ａの長孔２８によって爪部９が回転自在となるため、反し部９ｂが自然回転して水平状態になる。このため、調整ブロック６ａを扉３とともに蝶番ケーシング１ａから一人作業で安全に容易に取外すことが実施できる。
【００５４】
以上、本発明の実施形態を図面に基づいて説明したが、上記の実施例はいずれも本発明の一例を示したものであり、本発明はこれらに限定されるべきでないということは言うまでもない。
【００５５】
例えば、扉枠２の蝶番ケーシング１ａの垂直方向の上端部と下端部に爪部９と調整ブロック６ａの上端部と下端部に係止部１０を共に備えてもよい。この場合、扉３を取外す手順は、扉枠の上端部の爪部９はネジ２７を緩めても反し部９ｂが自然回転して水平にならないので、上端部の爪部９は予め取外して下端部に爪部９が残っている状態で上記作業することで調整ブロック６ａを蝶番ケーシング１ａから一人作業で安全に外すことができる。
【図面の簡単な説明】
【００５６】
【図１】本発明の実施形態における、扉枠２の収容部２ａと扉３の収容部３ａに取付けられた隠し蝶番１の構造を示す、(ａ)は平面図、（ｂ）は正面図である。
【図２】本発明の実施形態における、隠し蝶番１の状態を示す、(ａ)は扉３が略９０度開いた状態の平面図、（ｂ）は扉３が閉じた状態の平面図である。
【図３】本発明の実施形態における、(ａ)は扉枠２用の調整ブロック６ａの状態を示す斜視図、（ｂ）は扉３用の調整ブロック６ｂの状態を示す斜視図である。
【図４】本発明の実施形態における、扉枠２用の連結アーム４ａが調整ブロック６ａに収納される状態を示す分解斜視図である。
【図５】本発明の実施形態における、扉３用の連結アーム４ｂが調整ブロック６ｂに収納される状態を示す分解斜視図である。
【図６】本発明の実施形態における、連結アーム４ａ、４ｂが垂直回転軸５で連結されて、調整ブロック６ｂが扉３側の蝶番ケーシング１ｂ内により固定された状態を示す斜視図である。
【図７】本発明の実施形態における、扉枠２用の蝶番ケーシング１ａの状態を示す斜視図である。
【図８】本発明の実施形態における、調整ブロック６ｂが蝶番ケーシング１ｂ内に固定された状態の扉３を移動して、調整ブロック６ａを扉枠２用の蝶番ケーシング１ａに挿入する状態を示す平面断面図である。
【図９】本発明の実施形態における、(ａ)は蝶番ケーシング１ａの爪部９の状態を示す断面図、（ｂ）は調整ブロック６ａの係止部１０が爪部９に仮固定された状態を示す断面図である。
【図１０】本発明の実施形態における、爪部９の状態を示す、(ａ)は側面図、（ｂ）は図１０（ａ）のＡ−Ａ矢視図、（ｃ）は爪部９の反し部９ｂが水平の状態を示す側面図である。
【図１１】従来例における、隠し蝶番４０の取付状態を示す斜視図である。
【符号の説明】
【００５７】
１  隠し蝶番
１ａ  蝶番ケーシング
１ｂ  蝶番ケーシング
２  扉枠
３  扉
４ａ  連結アーム
４ｂ  連結アーム
５  垂直回転軸
６ａ  調整ブロック
６ｂ  調整ブロック
７  回転軸
８  スライド軸
９  爪部
１０  係止部
Ｓ  一端
Ｔ  他端
【図１】
2008025270.tif 000003
【図２】
2008025270.tif 000004
【図３】
2008025270.tif 000005
【図４】
2008025270.tif 000006
【図５】
2008025270.tif 000007
【図６】
2008025270.tif 000008
【図７】
2008025270.tif 000009
【図８】
2008025270.tif 000010
【図９】
2008025270.tif 000011
【図１０】
2008025270.tif 000012
【図１１】
2008025270.tif 000013